(57)【要約】      （修正有）【課題】折畳椅子などを使って簡易にパーティションとして使えるマットを提供する。【解決手段】シート状の本体部分２を有し、本体部分の１つの直状の辺２ａ、３ａを上辺として支持することによってパーティションとして使用される、パーティション用マットであって、１つの直状の辺に割り縫いによって繋がれているシート状の小片部分３と、小片部分を割り縫い部分で本体部分へと折り返した場合に、本体部分と重なり合う部分の内、繋がれている部分の両端近傍から定めた距離の部分を接続し、袋状部分を形成する連結部５と、で構成され、割り縫いの縫い代は１つの直状の辺に沿って伸びる筒状部分を形成するように、本体部分及び小片部分に縫合又は接合されている。筒状部分が梁として働くので、袋状部分の一部を支持した場合でも曲がりが少ない目隠し幕として使用できる。【選択図】図２
0003229925.tif 000002
【実用新案登録請求の範囲】
【請求項１】
１以上の直状の辺を有しているシート状の本体部分を有しており、前記本体部分の１つの直状の辺を上辺として支持することによってパーティションとして使用される、パーティション用マットにおいて、さらに、
前記１つの直状の辺に割り縫いによって繋がれているシート状の小片部分と、
前記小片部分を前記割り縫い部分で前記本体部分へと折り返した場合に、前記本体部分と重なり合う部分の内、前記繋がれている部分の両端近傍から定めた距離の部分を接続し、袋状部分を形成する連結部と、で構成されており、
前記割り縫いの縫い代は、前記１つの直状の辺に沿って伸びる筒状部分を形成するように、本体部分及び小片部分に縫合又は接合されている、ことを特徴とするパーティション用マット。
【請求項２】
前記連結部は、前記小片部分を前記本体部分へと折り返した場合に、前記本体部分と重なり合う部分の内、前記繋がれている部分の両端近傍から定めた距離の部分を着脱可能に連結する、ことを特徴とする請求項１に記載のパーティション用マット。
【請求項３】
前記割り縫いの縫い代は、縫い代の端を折り返すことなく平らに伸ばした状態で、前記１つの直状の辺に沿って伸びる筒状部分を形成するように、本体部分及び小片部分に縫合又は接合されている、ことを特徴とする請求項２に記載のパーティション用マット。
【請求項４】
前記本体部分及び小片部分の内、１以上は、複数のシートを重ね合わせて縫合又は接合させた構成を有しており、ライン状の縫合又は接合部分が、前記筒状部分に対し交わる向きに設けられている、ことを特徴とする請求項１乃至請求項３の何れか一項に記載のパーティション用マット。
【請求項５】
前記本体部分及び小片部分の内、１以上は、複数のシートを重ねてできているキルティングの布で、ライン状の縫合部分が、前記筒状部分に対し交わる向きに設けられている、ことを特徴とする請求項１乃至請求項３の何れか一項に記載のパーティション用マット。
【請求項６】
前記請求項１乃至請求項５の何れか一項に記載パーティション用マットと、
前記パーティション用マットの袋状部分に差し込まれ、前記１つの直状の辺の一部を支持する上向きの突起を有している支持部材と、で構成されることを特徴とするパーティション。
【請求項７】
前記支持部材は、前記袋状部分の両端に差し込まれる２つの上向きの突起を有している、ことを特徴とする請求項６に記載のパーティション。
【考案の詳細な説明】
【技術分野】
【０００１】
本考案は、パーティションに関し、詳しくは、避難場所等で簡易に使用できるローパーティションと、それに用いるマットに関する。
【背景技術】
【０００２】
一般のパーティションは、板状部分と、これを直立させる支持具とで構成されているが、未使用時は、その保管場所に苦慮する場合があった。
【０００３】
例えば、図９に示すように、特許文献１には、椅子２００の背もたれ部分２０１に予め板状のパーティション２０２を付属しておき、複数の同種椅子を並べることによって、所望の幅のローパーティションとするものが提案されている。
【先行技術文献】
【特許文献】
【０００４】
【特許文献１】実開平０２−１１９０６０号公報
【考案の概要】
【考案が解決しようとする課題】
【０００５】
椅子にパーティションの板状部分を固着させると、未使用時の保管場所には困らないが、椅子のサイズが大きくなり、取り扱いが良くない。
【０００６】
本考案は、上記従来例の問題を解決するためになされたものであり、簡易に設置でき、未使用時にはコンパクトに収納できる、パーティション用マットと、それを用いたパーティションを提供することを目的とする。
【課題を解決するための手段】
【０００７】
上記目的を達成するために本考案は、１以上の直状の辺を有しているシート状の本体部分を有しており、前記本体部分の１つの直状の辺を上辺として支持することによってパーティションとして使用される、パーティション用マットにおいて、さらに、前記１つの直状の辺に割り縫いによって繋がれているシート状の小片部分と、前記小片部分を前記割り縫い部分で前記本体部分へと折り返した場合に、前記本体部分と重なり合う部分の内、前記繋がれている部分の両端近傍から定めた距離の部分を接続し、袋状部分を形成する連結部と、で構成されており、前記割り縫いの縫い代は、前記１つの直状の辺に沿って伸びる筒状部分を形成するように、本体部分及び小片部分に縫合又は接合されていることを特徴とする。
【０００８】
前記連結部は、前記小片部分を前記本体部分へと折り返した場合に、前記本体部分と重なり合う部分の内、前記繋がれている部分の両端近傍から定めた距離の部分を着脱可能に連結することが好ましい。
【０００９】
前記割り縫いの縫い代は、縫い代の端を折り返すことなく平らに伸ばした状態で、前記１つの直状の辺に沿って伸びる筒状部分を形成するように、本体部分及び小片部分に縫合又は接合されていることが好ましい。
【００１０】
前記本体部分及び小片部分の内、１以上は、複数のシートを重ね合わせて縫合又は接合させた構成を有しており、ライン状の縫合又は接合部分が、前記筒状部分に対し交わる向きに設けられていることが好ましい。
【００１１】
前記本体部分及び小片部分の内、１以上は、複数のシートを重ねてできているキルティングの布で、ライン状の縫合部分が、前記筒状部分に対し交わる向きに設けられていることが好ましい。
【００１２】
本考案のパーティションは、上記何れかのパーティション用マットと、前記パーティション用マットの袋状部分に差し込まれ、前記１つの直状の辺の一部を支持する上向きの突起を有している支持部材と、で構成されることを特徴とする。
【００１３】
前記支持部材は、前記袋状部分の両端に差し込まれる２つの上向きの突起を有していることが好ましい。
【考案の効果】
【００１４】
本考案のマットによれば、連結部で形成された袋状部分の一部分、例えば、両端のみ、又は、中央のみ、を支持した場合でも、筒状部分が梁として機能するためその他の部分が大きく撓むことなく略真っすぐの姿勢を保つパーティションを簡易に設置できる。また、本体部分及び小片部分はシート状で、未使用時には折畳むことによってコンパクトに収納できる。
【図面の簡単な説明】
【００１５】
【図１】本考案のパーティションの一実施の形態を示す斜視図。
【図２】同パーティションの背面側を示す斜視図。
【図３】同パーティションを広げ、敷マットとした状態を示す斜視図。
【図４】パーティション用マットの（ａ）正面図と（ｂ）背面図。
【図５】パーティション用マットを広げた状態の（ａ）正面図、（ｂ）背面図、（ｃ）は（ｂ）背面図に示すＸ−Ｙ部分拡大図。
【図６】図５（ｃ）に示す図の（ａ）はＺ−Ｚ’線矢視断面図、（ｂ）は当該部分の天地反転側から見たＺ−Ｚ’線矢視断面図。
【図７】本体部分及び/又は小片部分が、複数のシートを縫合又は接合させた構成を有している場合の実施例を示しており、（ａ）は筒状部分に対し直交する向きのみにライン状の縫合部分を有している場合を示し、（ｂ）は筒状部分に対し斜め格子状の縫合部分を有している場合を示す。
【図８】パーティション用マットの変形例の（ａ）正面図と（ｂ）背面図。
【図９】従来のパーティション機能付きの椅子を示す。
【考案を実施するための形態】
【００１６】
本考案のパーティション用マットは、１以上の直状の辺を有しているシート状の本体部分を有しており、１つの直状の辺を上辺として支持することによってパーティションとして使用される。マットは、１つの直状の辺に、割り縫いによって繋がれているシート状の小片部分と、小片部分を割り縫い部分で本体部分へと折り返した場合に、本体部分と重なり合う部分の内、繋がれている部分の両端近傍から定めた距離の部分を接続し、袋状部分を形成する連結部と、で構成されている。縫い代は、１つの直状の辺に沿って伸びる筒状部分を形成するように、本体部分及び小片部分に縫合又は接合されている。当該構成を採用することにより、袋状部分を作った時、筒状部分が梁の働きをし、直状の辺の一部、例えば両端、又は、中心部のみを支持された場合でも、撓む量が少なく、略真っすぐの姿勢を保つことができる。更に、割り伏せ縫いとは異なり、縫い代の端を縫い目方向に折り返すことなく平らに伸ばした状態で、１つの直状の辺に沿って伸びる筒状部分を形成するように、本体部分及び小片部分に縫合又は接合することによって、筒状部分を薄くでき、小片部分を広げてマットとして使用した場合に、筒状部分が所望しない凸状部分とはならず、更には、縫い代の始末が行え、端がほつれないという利点を有する。
【００１７】
本考案の一実施の形態に係るパーティション用マット１について説明する。図１は、パーティション用マット１と、簡易な構成のマットの支持部材５０と、を用いて構成されたパーティション１００の斜視図である。図２は、図１の状態のパーティション１００を反対側から見たときの斜視図である。
【００１８】
パーティション用マット１は、１以上の直線の辺を有している矩形のシート状の本体部分２と、本体部分２の１つの直状の辺２ａに、割り縫いによって繋がれている矩形のシート状の小片部分３と、本体部分２及び小片部分３の重なり合う部分を連結して袋状部分４を形成する連結部５と、で構成される。矩形の本体部分２は、長辺（辺２ａ）が、一般的な椅子の横幅１脚分よりも幅広く、例えば、１０００ｍｍ以上、好ましくは、本実施形態においては３脚分に相当する２０００ｍｍの幅を有し、短辺は、例えば、７００ｍｍ以上、好ましくは、一般的な椅子の高さに相当する７５０ｍｍ〜８００ｍｍを有する。矩形の小片部分３は、長辺は約２０００ｍｍ、短辺は３００ｍｍを有する。
【００１９】
パーティション用マット１は、袋状部分４の底になる辺２ａを上辺として支持されることによって本体部分２を目隠し用の幕とするパーティションとして使用される。また、未使用時は、シート状の本体部分２及び小片部分３を折り畳んで収納することができる。折り畳んだ状態のマットは、枕としても使用できる。
【００２０】
パーティション用マット１は、本体部分２と小片部分３とで構成される袋状部分４に、辺２ａの一部、例えば、両端又は中央部分を支持する上向きの突起を有している支持部材５０の当該突起を差し込み、辺２ａを上辺として支持し、パーティション１００として使用される。支持部材５０は、図２に明らかに示されているように、例えば、２脚の折畳椅子５１、５２で構成される。この場合、折畳椅子５１、５２の背もたれ部分が上向きの突起５１ａ、５２ａに相当する。
【００２１】
本体部分２の辺２ａと小片部分３の辺３ａとを割り縫いすることによって生じる縫い代は、辺２ａ、辺３ａに沿って、それぞれ伸びる２本の筒状部分１０、１１（図６を参照）を形成するように、本体部分２及び小片部分３に縫合（縫い合わせることをいう以下同じ）又は接合（接着、加熱による溶着を含む）されている。当該構成を採用することにより、袋状部分４を作った時、筒状部分１０、１１が梁の働きをし、辺２ａ、辺３ａの一部、例えば両端、又は、中心部のみが支持された場合でも、無い場合に比べ、撓む量が少なく、略真っすぐの姿勢を保つことができる。
【００２２】
本体部分２は、本例では矩形だが、図１において上下に伸びる両辺が真っすぐでなく、例えば、ギザギザになっていても良く、また、５角形、逆かまぼこ型、等の場合でも、１つの直状の辺を上辺として支持することによって目隠し用の幕となるものであればよい。
【００２３】
小片部分３は、本例では矩形だが、本体部分２の辺２ａと割り縫いによって繋げることのできる直状の辺３ａを有しており、かつ、辺２ａ及び辺３ａを軸に、小片部分３を本体部分２へと折り返した場合に、袋状部分４が形成されるように、本体部分２と重なり合う部分を有するものであればよい。小片部分３は、辺２ａ又は辺３ａの両端近傍から定めた距離だけ離れた部分、本例の場合、辺２ａ近傍から、小片部分３の辺３ｂ、３ｃ（図１を参照）の端の位置まで、連結部５（図２を参照）によって連結される。連結部５は、着脱可能に連結するのが好ましい。着脱可能とすることによって、図３に示すように、小片部分３を広げて、敷マットとして使用することができる。避難場所では、場所の割り当てを行う際に、この敷マットを目安に使用することも可能である。
【００２４】
図４は、連結部５によって袋状部分４を形成した状態のパーティション用マット１の（ａ）は正面図、（ｂ）は背面図を示す。図４（ｂ）に示すように、小片部分３が本体部分２に重なっている領域に袋状部分４が形成されている。理解の容易のため、袋状部分４となっている領域を細かな点を付し網掛け表示する。
【００２５】
図５は、連結具５を外し小片部分３を展開させたときのパーティション用マット１の（ａ）は正面図、（ｂ）は背面図、（ｃ）は（ｂ）に示す背面図のＸ−Ｙ部分拡大図を示す。図５（ｂ）に示すように、本体部分２は、連結部５を構成する連結部品５ａ、５ｂを有しており、小片部分３は、連結部５を構成する連結部品５ｃ、５ｄを有している。連結部品５ａ、５ｂ、５ｃ、５ｄは、例えば、面ファスナー、ファスナー、マグネットテープ、ボタン、ホック等を用いることができる。
【００２６】
図６（ａ）は、図５（ｃ）の部分拡大図に示すＺ−Ｚ’線矢視断面図、（ｂ）は図６（ａ）の矢視断面図を表裏反転させて描いたものである。
【００２７】
図６（ａ）（ｂ）に示すように、辺２ａと辺３ａを割り縫いすることによって生じる縫い代は、一般的な割り伏せ縫いとは異なり、縫い代の端を、割り縫いの縫い目方向に折り返すことなく平らに伸ばした状態で、辺２ａ、３ａに沿って伸びる筒状部分１０、１１を形成するように、本体部分２及び小片部分３に縫合又は接合する。割り伏せ縫いの場合、筒状部分１０、１１が３枚構成になるのに対し、当該構成を採用する場合、筒状部分１０、１１が２枚構成になるため薄くできる。これにより、図３に示したように、小片部分３を広げて敷マットとした場合に、筒状部分１０、１１が所望しない凸状部分とならない、という利点が得られる。また、筒状部分１０、１１を形成することによって、縫い代が始末され、端がほつれないという利点を有する。
【００２８】
本体部分２及び小片部分３は、シート状の材、例えば、布、シート状のビニール又はシリコン等が用いられる。本体部分２及び小片部分３の一方又は両方は、複数のシートを重ね合わせたものを縫合又は接合させた構成を有していることが好ましい。具体的には、図７（ａ）（ｂ）に示すように、ライン状の縫合又は接合部分（２ｃ〜２ｇ）が、筒状部分１０、１１に対し交わる向きに設けられていることが好ましい。図７（ａ）に示す本体部分２は、筒状部分１０に対し直交する向きに複数並列に設けられたライン状の縫合又は接合部分２ｂ、２ｃが設けられている。図７（ｂ）に示す本体部分２は、筒状部分１０に対し斜めに交わる向きに傾けられた格子を形成する複数のライン状の縫合又は接合部分２ｄ、２ｅ、２ｆ、２ｇが設けられている。好ましい実施例では、避難所での使用時などを考慮して、本体部分２及び小片部分３に、表裏の布の間に綿シートを含む硬めのキルティングの布を用いる。
【００２９】
図８は、パーティション用マット１の変形例で、使用時のパーティションの高さを２段階で調節するため、小片部分３の領域に、追加の割り縫い部分Ｂを元の割り縫い部分Ａから間隔を開けて平行に設け、更に、横に並べた本体部分同士を連結するため、連結部品１２、１３を有しているものを示す。追加の割り縫い部分Ｂは筒状部分１４、１５を形成するように処理されている。図８において、パーティション用マット１と同一の構成要素には、同一の参照番号を付して、重複した説明は省く。小片部分３の領域に設けた追加の割り縫い部分Ｂを軸に、小片部分３を本体部分２に折り返して袋状部分４を形成することによって、２種類の高さの背もたれを有する椅子に使用できる。また、マット１の連結部品１２を、隣に並べた同構成のマットの連結部品１３に連結することによって、パーティション使用エリアを簡単に広くすることができる。
【００３０】
パーティション用マット１は、学校などの施設に数多く備えられている折畳椅子（いわゆる折畳式のパイプ椅子を含む）、スタッキングチェア等を用いて簡易にパーティション１００として使用できる。着脱可能な連結部５を備えているマットでは、小片部分３を広げて、敷マットとしても使用できる。本体部分２及び小片部分３は、シート状で、さらに、梁として硬質の骨組み用ロッドを使用せず、割り縫いで生じる縫い代を使って筒状部分１０、１１を作り、梁に代用する構成を採用しているので、折りたたんでの保管が可能であり、不使用時の保管がし易い、という利点がある。
【００３１】
以上、本考案のパーティション用マットの構成について説明したが、種々の変形例が当業者によって考えられる。例えば、本体部分２と小片部分３との割り縫い部分（図６を参照）は、例えば、番手の大きな太目の縫い糸を使い、１ｍｍ〜２ｍｍ程の間隔があくように縫い付けておくことで、袋状部分４を形成するように折り曲げたときに、より鋭角に曲げることができ、本体部分２及び小片部分３の折曲げに対する耐性を高め、筒状部分１０、１１の梁としての働きを高めることができる。
【産業上の利用可能性】
【００３２】
本考案のマットは、折畳椅子、スタッキングチェア等の備えられている、避難場所で簡易に目隠し用のパーティション又は敷マットとして使用できるだけでなく、誘導通路を作ったり、防寒壁として使用することができる。
【符号の説明】
【００３３】
１          パーティション用マット
２          本体部分
２ａ、３ａ  直状の辺
２ｂ、２ｃ、２ｄ、２ｅ、２ｆ、２ｇ  ライン状の縫合部分
３          小片部分
４          袋状部分
５          連結部
１０、１１、１４、１５  筒状部分
５０        支持部材
５１、５２  折畳椅子
【図１】
0003229925.tif 000003
【図２】
0003229925.tif 000004
【図３】
0003229925.tif 000005
【図４】
0003229925.tif 000006
【図５】
0003229925.tif 000007
【図６】
0003229925.tif 000008
【図７】
0003229925.tif 000009
【図８】
0003229925.tif 000010
【図９】
0003229925.tif 000011